(57)【要約】  同じ粒度の粒体をグループとし、支持体（１）上に同一グループの粒体群を他のグループの粒体群と仕切って所定の厚みに敷き詰め、グループの粒体群に、該グループに対応した色の絵具と媒材の混合液を水で希釈して塗布し乾燥させて、粒体群を支持体（１）に固着すると共に、粒体群の頂面の粒体間の表面の隙間を埋めないようにし、隣接する異なるグループの粒体群の境界個所を断面Ｖ字状の谷部に形成してなり、前記粒体群の頂面（１０ａ）に、絵具と媒体の混合液を、前記頂面の粒体間の表面の隙間を埋めないように塗布し乾燥させて本塗りすることで、視覚識別性および触感識別性のいずれも満たすことのできる粒体を使用した絵画の製作方法及び絵画。
2012164653.tif 000002
【特許請求の範囲】
【請求項１】
同じ粒度の粒体を同じグループとし、異なる粒度の各グループに対応して異なる色を割り当て、各色に対応する粒度のグループの粒体に絵具と粘着性を有する媒材との混合液とを塗布して支持体上に色分けされた土台部を固着し、該土台部の頂面の粒度と各土台部の外周縁部の形状から視覚だけでなく触感により色と形を判別しうる粒体を使用した絵画の製作方法において、
支持体上に、粘着性を有する媒材又は該媒材と絵具の混合液を塗布した下地形成部を設け、
該下地形成部上に、外周縁部に沿って一連に配置した粒体を粘着性を有する媒材又は該媒材と絵具の混合液を塗布して固めると共に、前記縁部の内側に粒体を所定の厚みに敷き詰めた土台形成部を設け、
該土台形成部の頂面に絵具と粘着性を有する媒材の混合液又は該混合液を水で希釈した希釈液を塗布し、土台形成部の粒体間及び土台形成部と支持体間とを一体に固着した土台部を形成し、
該土台部の頂面に粒体の上部が埋設されないように粒度に対応した絵具を塗布してなることを特徴とする粒体を使用した絵画の製作方法。
【請求項２】
土台形成部の外周壁に粘着性を有する媒材又は該媒材と絵具の混合物を塗布して外周壁に面する粒体を埋め込み、隣接する土台形成部間の境界個所が断面略Ｖ字状の谷部になるように形成してなることを特徴とする請求項１に記載の絵画の製作方法。
【請求項３】
粒体が、砂、合成樹脂、金属、木および紙からなる群のいずれか１または複数を素材としてなることを特徴とする請求項１または２に記載の粒体を使用した絵画の製作方法。
【請求項４】
粒度が同じであっても異なる触感の粒体を異なるグループとし、異なる色を割り当ててなることを特徴とする請求項３に記載の粒体を使用した絵画の製作方法。
【請求項５】
粒度が所定以上の大径の粒体の場合に、
支持体上に、直接又は半立体基礎部を介して、粘着性を有する媒材又は該媒材と絵具との混合液を塗布して所定の厚みにした下地形成部を形成し、
該下地形成部に粒体の上部が下地形成部の頂面から突出するように押し込むと共に、外周縁部に沿って配置された粒体を覆って埋め込むように前記媒材又は該媒材と絵具の混合物を塗布してなることを特徴とする請求項１に記載の粒体を使用した絵画の製作方法。
【請求項６】
粒体が砂であって、砂盛り工程と本塗り工程とからなっており、
砂盛り工程が、
支持体上に、単一色で表現される領域の境界線で囲まれた領域に粘着性を有する媒材又は該媒材と絵具の混合液を塗布した下地形成部を形成するステップと、
該下地形成部上に、外周縁部に沿って一連に配置した粒体を前記媒材又は該媒材と絵具の混合液を塗布して固めると共に、前記縁部の内側に粒体を所定の厚みに敷き詰めた土台形成部を設けるステップと、
土台形成部の外周壁に前記媒材又は該媒材と絵具の混合物を塗布して外周壁に面する粒体を埋め込み、隣接する土台形成部間の境界個所が断面略Ｖ字状の谷部になるように形成するステップとからなり、
本塗り工程が、絵具又は絵具と前記媒材の混合液を前記砂盛りされた土台部の頂面に塗布し、該塗布が前記頂面の砂の粒と粒の間の隙間を埋めないように塗布してなることを特徴とする請求項１から５のいずれかに規定した粒体を使用した絵画の製作方法。
【請求項７】
砂盛りする際に、敷き詰められた砂の頂面の縁部を頂面の他の部分に比べて強く押圧し、または指定された色の絵具と媒材と水の混合液を乾燥した際に砂の粒と粒の間の隙間を埋めるように塗布して補強してなることを特徴とする請求項６に記載の粒体を使用した絵画の製作方法。
【請求項８】
敷き詰めた砂に絵具と媒材と水の混合液を塗布して砂の頂面に起伏が形成された場合、砂の頂面の突出部を削り又は押し込んで扁平にして乾燥して固め、次いで窪み部に砂を埋め絵具と媒材と水の混合液を塗布して砂の頂面を扁平に形成してなることを特徴とする請求項６または７に記載の粒体を使用した絵画の製作方法。
【請求項９】
絵具がアクリル絵具からなり、媒材がはちみつ状のメディウムからなっていることを特徴とする請求項１から８のいずれかに記載の粒体を使用した絵画の製作方法。
【請求項１０】
砂が大理石の砂、サンゴ砂、または珪砂からなっていることを特徴とする請求項１から９のいずれかに記載の粒体を使用した絵画の製作方法。
【請求項１１】
粒体を支持体に敷き詰めて固着する順番が、粒度の粗い粒体から粒度の細かい粒体の順番で行うことを特徴とする請求項６から１０のいずれかに記載の粒体を使用した絵画の製作方法。
【請求項１２】
本塗り前の砂盛り工程を、粒度の粗い砂から粒度の細かい砂の順番で行うことを特徴とする請求項６から１１のいずれかに記載の粒体を使用した絵画の製作方法。
【請求項１３】
本塗りを、濃い色から薄い色の順に行い、背景の色は最後に行うことを特徴とする請求項６から１２に記載のいずれかに記載の粒体を使用した絵画の製作方法。
【請求項１４】
下地形成部が、支持体に固定されて支持体上に隆起する半立体基礎部上に形成されることを特徴とする請求項１から１３のいずれかに記載の絵画の製作方法。
【請求項１５】
同じ粒度の粒体を同じグループとし、異なる粒度の各グループに対応して異なる色を割り当て、各色に対応する粒度のグループの粒体に絵具と粘着性を有する媒材との混合液とを塗布して支持体上に色分けされた土台部を固着し、該土台部の頂面の粒度と各土台部の外周縁部の形状から視覚だけでなく触感により色と形を判別しうる粒体を使用した絵画において、
支持体上に、粘着性を有する媒材又は該媒材と絵具の混合液を塗布した下地形成部を設け、
該下地形成部上に、外周縁部に沿って一連に配置した粒体を前記媒材又は該媒材と絵具の混合液を塗布して固めると共に、前記縁部の内側に粒体を所定の厚みに敷き詰めた土台形成部を設け、
該土台形成部の頂面に絵具と前記媒材の混合液又は該混合液を水で希釈した希釈液を塗布し、土台形成部の粒体間及び土台形成部と支持体間とを一体に固着した土台部を形成し、
該土台部の頂面に粒体の上部が埋設されないように粒度に対応した絵具を塗布してなることを特徴とする粒体を使用した絵画。
【請求項１６】
下地形成部が、支持体に固定されて支持体上に隆起する半立体基礎部上に形成されることを特徴とする請求項１５に記載の絵画の製作方法。
【発明の詳細な説明】
【技術分野】
【０００１】
この発明は、眼の不自由な人であってもなくても、同時に同じように鑑賞することができる砂絵その他の粒体を使用した絵画の製作方法および粒体を使用した絵画の改良に関する。
【背景技術】
【０００２】
従来、手の感触により鑑賞できる絵画として、実用新案登録第３１３４４７４号の立体絵が提案されており、この考案では凹凸表面を有する半立体画像の画像要素の上またはその近傍に数字の形状を有する突部が一体に形成され、該突部の付された画像要素を説明する点字配列が余白に形成された構成からなっているため、画像要素の輪郭を認識することはできるが、色彩までは認識することができない欠点がある。
また、特開２００７−２３００１４の識別マークを有する貴重印刷物にあっては、触感識別性の他に、フロッキー加工層の多色パイルをある一定の方向へ傾斜させることで、潜像模様が現出することで視覚識別性が得られる構成が開示されているが、視覚識別性を得るには特別の操作が必要となり、また多数の色や形状を識別することは困難であり、絵画の鑑賞に適用することはできない。
【先行技術文献】
【特許文献】
【０００３】
【特許文献１】実用新案登録第３１３４４７４号公報
【特許文献２】特開２００７−２３００１４公報
【発明の概要】
【発明が解決しようとする課題】
【０００４】
この発明の解決しようとする課題は、同じ粒度の粒体をグループとし、異なる粒度の各グループに対応して異なる色を割り当て、割り当てられた色の絵具を対応する粒体のグループに塗布して視覚識別性および触感識別性のいずれも満たすことのできる粒体を使用した絵画の製作方法及び粒体を使用した絵画を提供することにある。
【課題を解決するための手段】
【０００５】
この発明は、前記課題を解決するために、
同じ粒度の粒体を同じグループとし、異なる粒度の各グループに対応して異なる色を割り当て、各色に対応する粒度のグループの粒体に絵具と粘着性を有する媒材との混合液とを塗布して支持体上に色分けされた土台部を固着し、該土台部の頂面の粒度と各土台部の外周縁部の形状から視覚だけでなく触感により色と形を判別しうる粒体を使用した絵画の製作方法において、
支持体上に、粘着性を有する媒材又は該媒材と絵具の混合液を塗布した下地形成部を設け、
該下地形成部上に、外周縁部に沿って一連に配置した粒体を粘着性を有する媒材又は該媒材と絵具の混合液を塗布して固めると共に、前記縁部の内側に粒体を所定の厚みに敷き詰めた土台形成部を設け、
該土台形成部の頂面に絵具と粘着性を有する媒材の混合液又は該混合液を水で希釈した希釈液を塗布し、土台形成部の粒体間及び土台形成部と支持体間とを一体に固着した土台部を形成し、
該土台部の頂面に粒体の上部が埋設されないように粒度に対応した絵具を塗布してなることを特徴とする。
【発明の効果】
【０００６】
この発明の粒体を使用した絵画の製作方法は、粒体を使用した絵画の頂面が、境界線で仕切られた粒度の異なる粒体のグループの組合せからなっており、色の異なる境界線は断面Ｖ字状の谷部で区切られているので、眼の不自由な人であっても粒体の粒度の触感から色を識別し、縁部や谷部の触感から形状と色の境界線を識別することができ、そうでない人は視覚から色と形状とを識別することができるので、粒体を使用した絵画を同時に鑑賞することができる。
また、土台形成部の外周縁部は粒体を粘着性を有する媒材又は該媒材と絵具の混合液を塗布して固めているので、頂面の縁部を触ることで、区切られた粒体群の正確な輪郭形状を認識することができ、同時に粒体間を絵具と粘着性を有する媒材の混合液又は該混合液を水で希釈した希釈液が流下してきても、隣接する別の土台形成部に液体が流れ出て色が混じり合うことが無い。
【図面の簡単な説明】
【０００７】
【図１】支持体に下絵を描いた状態の平面図である。
【図２】（ａ）は支持体上に下地形成部を形成する説明図、（ｂ）は下地形成部上に形成した土台形成部の頂面に第１混合液を塗布する状態の説明図、（ｃ）は頂面の縁部に第２混合液を塗布する状態の説明図である。
【図３】（ａ）は修正層を形成した状態の断面を示す説明図、（ｂ）は修正層の頂面の凸部を削って均し、外周壁面に土手部を形成した状態の断面を示す説明図である。
【図４】（ａ）は修正層の頂面に第３混合液をコーティングした状態の説明図、（ｂ）は隣接する砂盛り部に混合液が伏流水となって浸透する状態の説明図、（ｃ）は扁平な頂面を形成した状態の説明図である。
【図５】（ａ）は土手盛り形成の説明図、（ｂ）は境界線上に隣接する一対の土手部により谷部が形成される説明図である。
【図６】砂が大理石の場合の土台形成部の頂面に第１混合液を塗布する状態の説明図、（ｂ）は頂面の縁部に第２混合液を塗布する状態の説明図である。
【図７】砂盛り部に縁部を除いて砂止め用混合液を塗布する状態の説明図である。
【図８】（ａ）は砂盛り部の頂面に本塗り用混合液を筆の毛で塗布する状態の説明図、（ｂ）は本塗り用混合液を砂盛り部の頂面に穂の半分以上で塗布する状態の説明図である。
【図９】砂絵の部分断面図である。
【図１０】実施例２の手順を示す説明図であって、（ａ）は半立体基礎部上に下地形成部を設けた状態、（ｂ）は下地形成部の外周縁に沿って粒体を埋め込んだ状態である。
【図１１】（ａ）は、下地形成部の外周縁に沿って埋め込んだ粒体上に絵具又は混合液を塗りつけた側面状態、（ｂ）は塗りつけた絵具又は混合液を外周縁部の粒体に押し付けて外周壁に強固に保持した側面状態、（ｃ）外周縁の粒体に囲まれた内側の粒体に絵具と粘着性を有する媒材の混合液を塗布した断面状態の説明図である。
【図１２】実施例３の手順を示す説明図であって、（ａ）は土台形成部の外周縁を形成した状態、（ｂ）は外周縁で囲まれた内部に砂を敷き詰めた状態、（ｃ）内部に敷き詰めた砂相互を接着して一体の土台とする状態を示す説明図である。
【図１３】（ａ）は小径の粒体、（ｂ）は中間の粒体、（ｃ）は大径の粒体からなる土台形成部の外周壁に絵具と粘着性を有する媒材の混合液を塗布して外周縁の粒体を埋め込んだ状態を示す説明図である。
【発明を実施するための形態】
【０００８】
この発明では、支持体上に粒度を同じくする粒体群を他の粒度の粒体群と区切って敷き詰め、粘着性を有する媒材を塗布して粒体群を支持体上に固定する。
そのため、支持体上の所定の領域に、少なくとも粘着性を有する媒体を塗布して下地形成部を設ける。
該下地形成部の上に粒体を敷き詰めて土台形成部を設ける。
その際に、外周縁部に沿って一連に配置した粒体を媒材又は媒材と絵具の混合液を塗布して固めると共に、前記縁部の内側に粒体を所定の厚みに敷き詰める。
該土台形成部の頂面に絵具と媒体の混合液又は該混合液を水で希釈した希釈液を塗布し、土台形成部の粒体間及び土台形成部と支持体間とを一体に固着して土台部となし、その頂面に絵具を塗布する。
これにより、粒体群の頂面では粒体の粒度が触感により判別しうるので粒度に対応する色を認識することができ、また頂面の縁部や粒体群間の境目は谷部となり且つ粒体間は隙間なく埋められるので、粒体群の正確な輪郭形状を触感によって得ることができ、触感識別性と視覚識別性とが得られるようにした。
媒体には、絵具を混合してもよく、また水で希釈して使用してもよい。
以下に、この発明の粒体を使用した絵画の製作方法および粒体を使用した絵画の好適実施例について図面を参照しながら説明する。
【実施例１】
【０００９】
本実施例では粒体の一例として砂３０を用いた場合について説明する。
本実施例では粒度（粒径）が３ｍｍ未満の砂３０を、砂の粒度の粗いものから細かいものまで９段階に分けて使用している。
そして、粒度の異なる砂３０の各グループに対応して異なる色を割り当てる。
この砂３０は、各種メッシュを用いて９段階に篩別して作ってもよいし、既製品の各粒度毎の砂を購入してもよい。
本実施例では、砂３０は大理石の砂、サンゴ砂、珪砂を用いているが、他の砂を用いてもよい。【００１０】
キャンバスなどの支持体１上に、色分け模様からなる下絵２を絵具で描く（図１参照）。
絵具としては本実施例ではアクリル絵具を使用しているが、水性、油性その他の公知の絵具を用いてもよい。
ここで使用する絵具は、複数（本実施例では９段階）の粒度のそれぞれに関連づけられた色（本実施例では９色）と背景色との１０色の絵具が用いられる。
媒材は前記絵具と混合して接着性を有するものであり、水性、油性、にかわその他公知の媒材を用いることができる。
希釈液は、水を例示したが、オイルであってもよい。【００１１】
下絵２は、単一色で異なる色の領域の境目となる境界線Ｂが線として描かれ、又は色分けにより描かれる必要がある。
本実施例では境界線Ｂは線として描かず、領域内を対応する単一の色で塗り潰しており、境界線部分は色分けされた境目として表現されている。
そして、下絵２部分に媒材又は媒材と絵具との混合液を塗布して所定の厚みを有する媒材層１３を形成しておくことで、後述の敷き詰められる砂３０の下部分との粘着力を高めている。【００１２】
下絵２に描かれた境界線Ｂで区切られた単一色の領域Ｅ上には、媒材層１３が形成され、その上に下絵２で指定された色に対応する粒度の砂３０をほぼ均一の厚みとなるように、且つ頂面に隙間ができないように敷き詰めて土台形成部３’とする。
土台形成部３’の厚みは、後述の絵具と強い粘りを有する媒材と水の混合液で砂３０を支持体に固着可能な厚みであり、粒度や絵具、媒材の種類に応じて差異があるので適宜実験的に定めることができる。【００１３】
ここで砂３０を敷き詰める際には、境界線Ｂ（外周縁）に沿って敷き詰めた砂３０は、媒体又は媒体と絵具の混合液を塗布して硬く固めていき、その内側に敷き詰めた砂３０は、相互に接着され、支持体１や媒体層１３と一体に接着されればよい。
そして、例えばサンゴ砂の場合、砂の粒子が基本的に丸く整いやすいので、やわらかく大きな筆で、厚めに第１混合液Ｌ１を前記土台形成部３’の上から塗布し、土台形成部３’に浸透させる（図２（ａ）参照）。
ここで、第１混合液Ｌ１は、強い粘りを有する媒材と絵具の比率が３：１の割合で混合され、希釈する水の量が混合液の１倍から５倍（以下、基準量とする）に設定されている。
上記媒材として、本実施例では、はちみつ状のメディウムであるリキテックス（商標）のストリングジェルメディウム（商品名）を用い、絵具として水性エマルジョンタイプのアクリル絵具のリキテックスカラー（商品名）を用いている。【００１４】
前記土台形成部３’の頂面３ａ’の縁部は強度を有することが好ましく、本実施例では第２混合液Ｌ２を細かい筆で細部にわたって塗布する。
ここで第２混合液Ｌ２は第１混合液Ｌ１の上から塗布してもよいし、縁部には第１混合液Ｌ１を塗布せず、第２混合液Ｌ２だけを厚く塗布するものでもよい。
この時、第２混合液Ｌ２を厚く塗ることで、頑丈で正確な形状の縁部を形成できる（図２（ｂ）参照）。【００１５】
第２混合液Ｌ２は、前記強い粘りを有する媒材と絵具の比率が３：１で混合され、希釈する水の量は前記基準量より少なめに設定されている。
このようにして土台形成部３’を構成する砂３０が支持体１に一体に固着して土台部３が形成されるが、その頂面３ａには未だ凹凸状の起伏が残っている場合が多い。図示例では説明の便宜上、凹凸を大きく表している。【００１６】
そこで、前記頂面３ａに（同じ粒度の）砂３０を修正に必要な分だけ手でふりかけて土台部上に修正層４を形成し（図３（ａ）参照）、該修正層４の頂面４ａを均し、ペインティングナイフで上から敷き詰められた砂全体を押圧する。
修正層４の頂面４ａを均す際には、ペインティングナイフで土台部３の頂面３ａの凸部を削ったり、押し込んだりして平らにしていくが、この段階では凹部は未だ埋めない（図３（ｂ）参照）。
均す際には、頂面４ａの角と縁部を中心に押圧して、密度を高めることが好ましい。【００１７】
境界線Ｂに沿って前記敷き詰められた砂３０の外周壁面５ａを当該境界線Ｂの範囲の内側に向かって傾斜させ土手部５ｂを形成する（図３（ｂ）参照）。
そして、１時間以上室温で放置し、支持体１上の土台部３および修正層４を一体に固める。【００１８】
次に、前記修正層４の頂面４ａに残った凹部４ｂを埋める。
即ち、修正層４の頂面４ａの上に、該頂面４ａをコーティングする目的で、第３混合液Ｌ３を塗布する（図４（ａ）参照）。
ここで第３混合液Ｌ３は、前記強い粘りを有するメディウムと絵具の比率を２：１で混合し、希釈する水の量が約１．５倍程度に設定されている。
第３混合液Ｌ３に替えて第１混合液Ｌ１を用いても良く、絵具のダマ（小さい塊）ができない程度が好ましい。【００１９】
上記第３混合液Ｌ３の塗布量が多すぎると、図４（ｂ）に示すように、流下した着色水が伏流水のように境界線の隣の領域の砂盛り部１０に滲み込み毛細管現象で上昇し、色が混じるので、塗布量は境界線から流れ出ない量に調整する必要がある。【００２０】
前記第３混合液Ｌ３が修正層４や土台部３にほぼ吸収されてから、前記凹部４ｂに的確に（同じ粒度の）砂３０を補充し、ペインティングナイフで押し込んで、修正層４の頂面４ａを均す。
これにより、乾燥しても砂３０の粒の上端が揃った頂面４ａを形成することができる（図４（ｃ）参照）。
ここで、砂盛り部は土台部３だけからなるものでもよいが、土台部３と修正層４とからなる場合には、土台部３は支持体１に固着される。修正層４は土台部３の頂面を覆うように固着し、修正層４の頂面４ａに表れる砂３０が粒度を判別しうるように固定されていればよい。【００２１】
また、外周壁面の土手５ｂと頂面４ａの縁部は、境界線Ｂに沿った輪郭を認識するための個所であるので、正確できれいに形成することが好ましい。
そこで、第４混合液Ｌ４を頂面の角のエッジの部分に線を引くように厚めに塗布して、同時に砂３０を盛って細かな凹凸を解消する。
ここで、頂面の縁部は、色分け個所の輪郭（境界線）を認識するためであるので、砂３０の粒度は判別できなくてもよく、縁部を除く頂面で砂３０の粒度を触感できればよい。【００２２】
ここで、第４混合液Ｌ４は、前記強い粘りを有するメディウムと絵具の比率を２：１で混合し、希釈する水は用いなくてもよいし、用いる場合も混合液に対して２倍以下に抑えることが好ましい。
このとき砂の粒が不足している場合、足りない砂の粒を筆で選り分けて拾う。水に濡らした筆であれば、砂の粒を１〜２粒単位で拾うことが出来る  持ち上げて嵌め込んで盛っていくが、塗るのは土手盛りが必要な部分のみとし、頂面には塗布しない（図５（ａ）参照）。【００２３】
第４混合液Ｌ４は水の量が少ないため、頂面の砂３０の粒と粒の間の目地を潰すおそれがあり、頂面に浸入してきた第４混合液Ｌ４は、乾く前にティッシュペーパーなどで拭き取ることが好ましい。
これは頂面の砂の粒の間の目地が潰れることで触感で判別できなくなるのを防ぐためである。【００２４】
一方、土手部５ｂは、前記第４混合液Ｌ４で塗った部分がある程度乾いてきてから、再度第４混合液Ｌ４を塗布し、完全に砂３０の粒が見えなくなるまで塗って土手の表面を乾燥した第４混合液の層で被覆する。
これによって、土手部５ｂは多数の人に触られても剥がれたり損壊したりすることがなく、また隣接する砂盛り部１０から混合液が流出してきても土手部５ｂで浸入をくいとめることができる。【００２５】
このようにして形成された砂盛り部１０は、色分けにより隣接する砂盛り部間の境界線Ｂの個所が断面Ｖ字状の谷部８となる。
そのため、境界線で囲まれた領域の輪郭の判別を触感により容易に行うことができる（図）５（ｂ）参照）【００２６】
砂３０が大理石の場合、やわらかく大きな筆を用い第１混合液Ｌ１’を、敷き詰めた砂３０の頂面で縁部を除いて塗布する（図６（ａ）参照）。
また、縁部には、第２混合液Ｌ２’を塗布するが前記頂面に塗布した第１混合液Ｌ１’より厚めに塗布して土台部３を形成する(図６（ｂ）参照）。【００２７】
ここで、大理石用の第１混合液Ｌ１’は、前記強い粘りを有するメディウムと絵具の比率が１．５：１で、希釈する水は基準量より多めに設定されており、第２混合液Ｌ２’は、、前記強い粘りを有するメディウムと絵具の比率が１．５：１で、希釈する水が基準量より少なめに設定されている。【００２８】
前記混合液を塗り終わったら、手で修正に必要な分の砂３０をかけて補充する。
補充後、すぐペインティングナイフで頂面を押圧する。
ペインティングナイフは、縁部から内側に向けて一方向に動かす。
広い面積を平らになるように押圧している時、途中で修正層や土台部３が乾いてきたら、部分的に前記大理石用の第１混合液Ｌ１’を塗って乾燥を防ぐ。【００２９】
大理石の砂３０は、本実施例の場合、最も粒度が細かい１段階目の粒度（例えば粒径が約０．２ｍｍ）とやや粗い３段階目の粒度（例えば粒径が、０．５ｍｍ）とに用いているが、１段階目の粒度で用いる場合には土手部を作らなくてもよいが、３段階目の粒度で用いる場合には前記サンゴの砂と同様に土手を作る必要がある。
上記のようにして砂盛り部１０が完成する。【００３０】
下絵に描かれた各境界線で区切られた領域Ｅ単位で、それぞれ前記砂盛り工程が順番に行われる。
ここで砂盛り工程は、本塗り工程の前に、粒度の粗い砂の領域Ｅの砂盛りから粒度の細かい砂の領域Ｅの砂盛りの順番で行うことが好ましい。
各境界線Ｂで区切られた領域Ｅの全てに砂盛り部１０が形成されると、次に本塗り工程が施される。【００３１】
砂盛り工程は、各砂盛り部１０毎に粒度の大小で順番が決められたが、本塗り工程は、砂の粒度とは別に、砂の粒度に関係付けられた色によって、作業の順序が決められる。
即ち、色が濃い色から薄い色の順に本塗りを行い、背景の色を付す場合には背景を最後に塗る。【００３２】
まず、砂止め用混合液Ｌ５は、前記強い粘りを有するメディウムと絵具の比率が１．７〜８：１０で、２〜５倍に希釈する水を混合したものからなり、砂盛り部１０の頂面１０ａで縁部を除いた部分に塗布される（図７参照）。
砂止め用混合液Ｌ５が完全に乾いたら、カッターナイフで頂面の縁部をきれいに整えていく。
ここで輪郭線が滑らかになるように、隆起部は全て削り取り、また、土手部が形成されない細かい粒度の砂の場合には頂面１０ａの縁部を斜めにカットし、前記砂止め用混合液Ｌ５を塗る。【００３３】
次に、水を足さずに、絵具に前記強い粘りを有するメディウムを少し混ぜた本塗り用混合液Ｌ６を筆先だけを使って砂盛り部１０の頂面１０ａに塗布する(図８（ａ）参照）。
そして、絵具を筆の毛の長さの半分以上（本実施例では７割）に付着させ、余分な絵具を取り除いて絵具の溜まりができないようにして頂面１０ａに塗布し、ムラが生じたり、砂の地色が見えないように着色し（図８（ｂ）参照）、砂絵が完成する（図９参照）。【００３４】
上記実施例で使用する絵具や媒材（メディウム）は一例を示すものであって、砂３０に浸透して固着しうるものであれば良く、この発明では適宜公知のものを置き換えて用いることができる。
また、砂盛り部は、土台部の上に修正層を形成して行ったが、土台部だけでなだらかな頂面が形成できる場合は修正層を形成しなくてもよい。
また、砂盛り部の頂面はほぼ水平に均した場合を図示したが、湾曲面や斜面の組合せ、ブロック状、筒状、球状など支持体に立体的に表現されるものであってもよく、その表面に触ることで砂３０の粒度が触感できるものであればよい。【００３５】
上記実施例では、粒体の一例として砂を用いた場合について説明したが、砂の種類は限定されないのは勿論、この発明では粒体として合成樹脂、金属、木、紙、その他の固体の素材を粒状にしたものを用いることができる。
また、粒度は、手の触感で識別しうる範囲のものを用いることが好ましい。
同じ粒度であっても粒体自体の触感の異なる素材（スベスベのものとザラザラのものなど）に異なる色を割り当てることで、割り当てる色の種類を増やすこともできる。
また、絵具や強い粘性を有する媒材も上記素材に応じて適宜公知のものを用いることができる。
同様に支持体も、公知のキャンバスに限らず、用いる砂その他の粒体の種類や絵具および媒材の種類に応じて適宜選択して使用することができる。
更に、色の割り当てに組み合わせて、香りや音を組み合わせてもよい。
即ち、粒体群に特定の香りを付したり、粒体群を触ると特定の音が流れるなどの構成を組み合わせてもよい。
【実施例２】
【００３６】
上記実施例１では粒径が小さい砂、例えば３ｍｍ未満のものの場合を示したが、粒径がそれ以上の場合、例えば３〜５ｍｍの砂の場合には、図１０以降に示す手順によることができる。
図１０（ａ）では、支持体１上に半立体基礎部３”が形成される。
ここで半立体基礎部３”は、支持体１と一体に接着されるものであれば、粒径が同一の砂でも異なる砂でもよいし、石膏であってもよく、支持体と砂の間に介設されて両者と接着される素材であればよい。  
そして、予め、任意の半立体形状になっているので、その上に砂を接着することで半立体の砂絵を作成することができる。
この実施例２では、半立体基礎部３”を設けず、直接に支持体１上に砂３０を接着してもよいし、あるいは、均一の高さの基礎部３”を用いてもよい。【００３７】
上記支持体１又は半立体基礎部３”の上に、強い粘りを有する媒材と絵具の比率が３：１の割合で混合された混合液を塗り、媒材層１３を形成する。
この媒材層１３に、大径で同じ粒度（例えば、粒径３ｍｍ）の砂３０を隙間無く並べて押し込んで埋める。
砂３０を押し込むには、ピンセットを用いたり手で直接埋め込んでもよい（図１０（ｂ）参照）。【００３８】
前記媒材層１３が乾いた後に、土手部５ｂが形成される。
即ち、図１１（ａ）に示すように、側面の縁や角に第４混合液Ｌ４を塗布し、完全に側面に表れる砂３０の粒が見えなくなるまで塗って土手部５ｂの表面を乾燥した第４混合液の層で被覆する。
そして、第４混合液Ｌ４の塗布により土手部５ｂの上縁５ｃを盛り上げて、表面に露出する砂の半分以上に被さるように形成する。
これにより最上面で境界線Ｂに沿う砂３０は、乾燥した第４混合液Ｌ４によって縦爪のように強固に保持される。【００３９】
次いで、前記実施例１と同様に、砂止め用混合液Ｌ５を縁部を除いた頂面１０ａに塗布してもよいが、この工程を省略して、本塗り用混合液Ｌ６’を頂面１０ａに直接に塗布(図１１（ｂ）参照）してもよい。
その他の構成は前記実施例１に準じるので、その説明を省略する。
【実施例３】
【００４０】
図１２に示す実施例３は、粒径が小さい砂３０の場合でも、先に境界線に沿って外周壁部分を硬く接着し、その後に外周壁で囲まれた内側に砂３０を敷き詰めて相互に接着して土台部とする構成からなっている。
即ち、図１２（ａ）では、まず境界線Ｂに沿って、媒材層１３の上に砂３０を敷き、媒材と絵具の混合液で硬く接着して外周壁を形成する。
ここで希釈水は用いなくてもよいし、用いる場合は少量でよい。
次に、図１２（ｂ）で示すように、外周壁の内側に砂３０を敷き詰めて土台形成部３’とする。
その後、図１２（ｃ）に示すように、土台形成部３’の頂面上から絵具と媒体の混合液の希釈液（例えば砂止め用混合液Ｌ５など）を塗布し、砂の内部に混合液を染みこませて、土台形成部３’内の砂３０相互間、砂３０と支持板１とを着色しながら一体に接着して土台部３とする。
その後の本塗り工程は前記実施例と同様であるので、説明を省略する。
上記手順によれば、少ない工程数で、前記実施例と同様の砂絵を制作することができる。【００４１】
上記各実施例では、粒体の一例として砂を用いた場合について説明したが、砂の種類は限定されないのは勿論、この発明では粒体として合成樹脂、金属、木、紙、その他の固体の素材を粒状にしたものを用いることができる。【００４２】
また、粒度は、手の触感で識別しうる範囲のものを用いることが好ましい。
同じ粒度であっても粒体自体の触感の異なる素材（スベスベのものとザラザラのものなど）に異なる色を割り当てることで、割り当てる色の種類を増やすこともできる。
また、絵具や強い粘性を有する媒材も上記素材に応じて適宜公知のものを用いることができる。
同様に支持体も、公知のキャンバスに限らず、用いる砂その他の粒体の種類や絵具および媒材の種類に応じて適宜選択して使用することができる。【００４３】
更に、色の割り当てに組み合わせて、香りや音を組み合わせてもよい。
即ち、粒体群に特定の香りを付したり、粒体群を触ると特定の音が流れるなどの構成を組み合わせてもよい。
その他、この発明は上記実施例に限定されるものではなく、この発明の要旨を変更しない範囲で種々設計変更しうるものである。
【符号の説明】
【００４４】
１    支持体
２    下絵
３    土台部
３’  土台形成部
３”  半立体基礎部
３ａ  頂面
４    修正層
４ａ  頂面
５ａ  外周壁面
５ｂ  土手部
５ｃ  土手部の上縁
８    谷部
１０    砂盛り部
１０ａ  頂面
１３    媒材層
３０    砂
Ｂ    境界線
Ｅ    領域
Ｌ１、Ｌ１’  第１混合液
Ｌ２、Ｌ２’  第２混合液
Ｌ３  第３混合液
Ｌ４  第４混合液
Ｌ５  砂止め用混合液
Ｌ６  本塗り用混合液
【図１】
2012164653.tif 000003
【図２】
2012164653.tif 000004
【図３】
2012164653.tif 000005
【図４】
2012164653.tif 000006
【図５】
2012164653.tif 000007
【図６】
2012164653.tif 000008
【図７】
2012164653.tif 000009
【図８】
2012164653.tif 000010
【図９】
2012164653.tif 000011
【図１０】
2012164653.tif 000012
【図１１】
2012164653.tif 000013
【図１２】
2012164653.tif 000014
【図１３】
2012164653.tif 000015
【手続補正書】
【提出日】平成25年2月21日(2013.2.21)
【手続補正１】
【補正対象書類名】特許請求の範囲
【補正対象項目名】請求項５
【補正方法】変更
【補正の内容】
【請求項５】
粒度が所定以上の大径の粒体の場合に、
支持体上に、直接又は基礎部を介して、粘着性を有する媒材又は該媒材と絵具との混合液を塗布して所定の厚みにした下地形成部を形成し、
該下地形成部に粒体の上部が下地形成部の頂面から突出するように押し込むと共に、外周縁部に沿って配置された粒体を覆って埋め込むように前記媒材又は該媒材と絵具の混合物を塗布してなることを特徴とする請求項１に記載の粒体を使用した絵画の製作方法。
【手続補正２】
【補正対象書類名】特許請求の範囲
【補正対象項目名】請求項１４
【補正方法】変更
【補正の内容】
【請求項１４】
下地形成部が、支持体に固定されて支持体上に隆起する基礎部上に形成されることを特徴とする請求項１から１３のいずれかに記載の絵画の製作方法。
【手続補正３】
【補正対象書類名】特許請求の範囲
【補正対象項目名】請求項１６
【補正方法】変更
【補正の内容】
【請求項１６】
下地形成部が、支持体に固定されて支持体上に隆起する基礎部上に形成されることを特徴とする請求項１５に記載の流体を使用した絵画。
【手続補正４】
【補正対象書類名】明細書
【補正対象項目名】０００２
【補正方法】変更
【補正の内容】
【０００２】
従来、手の感触により鑑賞できる絵画として、実用新案登録第３１３４４７４号の立体絵が提案されており、この考案では凹凸表面を有する画像要素の上またはその近傍に数字の形状を有する突部が一体に形成され、該突部の付された画像要素を説明する点字配列が余白に形成された構成からなっているため、画像要素の輪郭を認識することはできるが、色彩までは認識することができない欠点がある。
また、特開２００７−２３００１４の識別マークを有する貴重印刷物にあっては、触感識別性の他に、フロッキー加工層の多色パイルをある一定の方向へ傾斜させることで、潜像模様が現出することで視覚識別性が得られる構成が開示されているが、視覚識別性を得るには特別の操作が必要となり、また多数の色や形状を識別することは困難であり、絵画の鑑賞に適用することはできない。
【手続補正５】
【補正対象書類名】明細書
【補正対象項目名】０００７
【補正方法】変更
【補正の内容】
【０００７】
【図１】支持体に下絵を描いた状態の平面図である。
【図２】（ａ）は支持体上に下地形成部を形成する説明図、（ｂ）は下地形成部上に形成した土台形成部の頂面に第１混合液を塗布する状態の説明図、（ｃ）は頂面の縁部に第２混合液を塗布する状態の説明図である。
【図３】（ａ）は修正層を形成した状態の断面を示す説明図、（ｂ）は修正層の頂面の凸部を削って均し、外周壁面に土手部を形成した状態の断面を示す説明図である。
【図４】（ａ）は修正層の頂面に第３混合液をコーティングした状態の説明図、（ｂ）は隣接する砂盛り部に混合液が伏流水となって浸透する状態の説明図、（ｃ）は扁平な頂面を形成した状態の説明図である。
【図５】（ａ）は土手盛り形成の説明図、（ｂ）は境界線上に隣接する一対の土手部により谷部が形成される説明図である。
【図６】砂が大理石の場合の土台形成部の頂面に第１混合液を塗布する状態の説明図、（ｂ）は頂面の縁部に第２混合液を塗布する状態の説明図である。
【図７】砂盛り部に縁部を除いて砂止め用混合液を塗布する状態の説明図である。
【図８】（ａ）は砂盛り部の頂面に本塗り用混合液を筆の毛で塗布する状態の説明図、（ｂ）は本塗り用混合液を砂盛り部の頂面に穂の半分以上で塗布する状態の説明図である。
【図９】砂絵の部分断面図である。
【図１０】実施例２の手順を示す説明図であって、（ａ）は基礎部上に下地形成部を設けた状態、（ｂ）は下地形成部の外周縁に沿って粒体を埋め込んだ状態である。
【図１１】（ａ）は、下地形成部の外周縁に沿って埋め込んだ粒体上に絵具又は混合液を塗りつけた側面状態、（ｂ）は塗りつけた絵具又は混合液を外周縁部の粒体に押し付けて外周壁に強固に保持した側面状態、（ｃ）外周縁の粒体に囲まれた内側の粒体に絵具と粘着性を有する媒材の混合液を塗布した断面状態の説明図である。
【図１２】実施例３の手順を示す説明図であって、（ａ）は土台形成部の外周縁を形成した状態、（ｂ）は外周縁で囲まれた内部に砂を敷き詰めた状態、（ｃ）内部に敷き詰めた砂相互を接着して一体の土台とする状態を示す説明図である。
【図１３】（ａ）は小径の粒体、（ｂ）は中間の粒体、（ｃ）は大径の粒体からなる土台形成部の外周壁に絵具と粘着性を有する媒材の混合液を塗布して外周縁の粒体を埋め込んだ状態を示す説明図である。
【手続補正６】
【補正対象書類名】明細書
【補正対象項目名】００３６
【補正方法】変更
【補正の内容】
【００３６】
上記実施例１では粒径が小さい砂、例えば３ｍｍ未満のものの場合を示したが、粒径がそれ以上の場合、例えば３〜５ｍｍの砂の場合には、図１０以降に示す手順によることができる。
図１０（ａ）では、支持体１上に基礎部３”が形成される。
ここで基礎部３”は、支持体１と一体に接着されるものであれば、粒径が同一の砂でも異なる砂でもよいし、石膏であってもよく、支持体と砂の間に介設されて両者と接着される素材であればよい。  
そして、予め、任意の形状になっているので、その上に砂を接着することで凹凸のある砂絵を作成することができる。
この実施例２では、基礎部３”を設けず、直接に支持体１上に砂３０を接着してもよいし、あるいは、均一の高さの基礎部３”を用いてもよい。
【手続補正７】
【補正対象書類名】明細書
【補正対象項目名】００３７
【補正方法】変更
【補正の内容】
【００３７】
上記支持体１又は基礎部３”の上に、強い粘りを有する媒材と絵具の比率が３：１の割合で混合された混合液を塗り、媒材層１３を形成する。
この媒材層１３に、大径で同じ粒度（例えば、粒径３ｍｍ）の砂３０を隙間無く並べて押し込んで埋める。
砂３０を押し込むには、ピンセットを用いたり手で直接埋め込んでもよい（図１０（ｂ）参照）。
【手続補正８】
【補正対象書類名】明細書
【補正対象項目名】００４４
【補正方法】変更
【補正の内容】
【００４４】
１    支持体
２    下絵
３    土台部
３’  土台形成部
３”  基礎部
３ａ  頂面
４    修正層
４ａ  頂面
５ａ  外周壁面
５ｂ  土手部
５ｃ  土手部の上縁
８    谷部
１０    砂盛り部
１０ａ  頂面
１３    媒材層
３０    砂
Ｂ    境界線
Ｅ    領域
Ｌ１、Ｌ１’  第１混合液
Ｌ２、Ｌ２’  第２混合液
Ｌ３  第３混合液
Ｌ４  第４混合液
Ｌ５  砂止め用混合液
Ｌ６  本塗り用混合液
【国際調査報告】
2012164653.tif 000016
2012164653.tif 000017
2012164653.tif 000018
2012164653.tif 000019
2012164653.tif 000020
2012164653.tif 000021